(57)【特許請求の範囲】
【請求項１】
嵌合して相対的に回転可能に保持される第１筒及び第２筒と、
前記第１筒の複数箇所に備えられる弾性変形可能な複数のピンと、
前記第２筒の複数箇所に備えられ、複数の前記ピンが嵌合される複数の溝であって、光軸と直交する方向に延びる複数の溝と、
を備えたレンズ鏡筒であって、
複数の前記ピンは、少なくとも１つの第１ピンと、少なくとも１つの第２ピンと、で構成され、
前記第１ピンは、前記第１筒及び前記第２筒に対して径方向外方に向かって外径が縮小するテーパー形状を有し、テーパー形状の外周面が前記溝の縁部に押圧当接し、
前記第２ピンは、前記第２筒の内周面には当接せずに前記溝に嵌合して、外周面が前記溝の内壁面に押圧当接し、
前記第１ピンが、前記溝の縁部から受ける力で、前記第１筒を前記第２筒に対して径方向内方に付勢する、
レンズ鏡筒。
【請求項２】
前記第１ピンは、前記第１筒及び前記第２筒に対して径方向外方に向かって外径が縮小する円弧状のテーパー形状を有する、
請求項１に記載のレンズ鏡筒。
【請求項３】
前記第２ピンは、外周面が外側に向かって円弧状に膨らんだ形状を有する、
請求項１又は２に記載のレンズ鏡筒。
【請求項４】
前記第１ピンは、
第１ピン軸部と、
前記第１ピン軸部との間に隙間をもって同心状に配置された環状又は筒状の第１ピン外周部と、
前記第１ピン軸部に対して前記第１ピン外周部を支持する第１ピン支持部と、
を備える請求項１から３のいずれか１項に記載のレンズ鏡筒。
【請求項５】
前記第１ピンが、樹脂による一体成形品であり、同軸上に挿通される締結部材によって前記第１筒に固定される、
請求項４に記載のレンズ鏡筒。
【請求項６】
前記第２ピンは、
第２ピン軸部と、
前記第２ピン軸部との間に隙間をもって同心状に配置された環状又は筒状の第２ピン外周部と、
前記第２ピン軸部に対して前記第２ピン外周部を支持する第２ピン支持部と、
を備える請求項１から５のいずれか１項に記載のレンズ鏡筒。
【請求項７】
前記第２ピンが、樹脂による一体成形品であり、同軸上に挿通される締結部材によって前記第１筒に固定される、
請求項６に記載のレンズ鏡筒。
【請求項８】
前記第１ピンが嵌合される前記溝は、面取りされた縁部を有する、
請求項１から７のいずれか１項に記載のレンズ鏡筒。
【請求項９】
前記第１筒には、３本の前記ピンが等間隔で配置され、
３本の前記ピンは、１つが前記第１ピンで構成され、残りが前記第２ピンで構成される、
請求項１から８のいずれか１項に記載のレンズ鏡筒。
【請求項１０】
前記溝に前記ピンを嵌合させて、前記第１筒に対して前記第２筒を光軸方向に相対的に位置決めする、及び／又は、前記第１筒に対する前記第２筒の相対的な回転可能範囲を規制する、
請求項１から９のいずれか１項に記載のレンズ鏡筒。
【請求項１１】
前記第２筒が、固定された前記第１筒の外周に嵌合し、前記第１筒の外周を回転可能に保持される、
請求項１から１０のいずれか１項に記載のレンズ鏡筒。
【請求項１２】
前記第１筒が直進溝を備えた固定筒であり、
前記第２筒がカム溝を備えたカム筒である、
請求項１１に記載のレンズ鏡筒。
【発明の詳細な説明】
【技術分野】
【０００１】
本発明は、レンズ鏡筒に係り、特に嵌合して相対的に回転可能に保持される第１筒及び第２筒を備えたレンズ鏡筒に関する。
【背景技術】
【０００２】
一般に、カム機構を採用するレンズ鏡筒では、嵌合する固定筒及びカム筒を備え、カム筒を回転させることにより、レンズ群を移動させる。この種のレンズ鏡筒では、カム筒と固定筒との間の嵌合にガタがあると、軸ズレ、軸倒れ等が発生し、光学性能を低下させるという問題がある。従来は、カム筒と固定筒との間に弾性部材を配置することにより、ガタを片寄して除去していた（たとえば、特許文献１等）。
【先行技術文献】
【特許文献】
【０００３】
【特許文献１】特開2011-197519号公報
【発明の概要】
【発明が解決しようとする課題】
【０００４】
しかしながら、カム筒と固定筒との間に弾性部材を組み込むと、回転の摺動にムラが発生し、レンズの駆動が不安定になるという欠点がある。【０００５】
本発明は、このような事情に鑑みてなされたもので、ガタを防止しつつ、スムーズに駆動できるレンズ鏡筒を提供することを目的とする。
【課題を解決するための手段】
【０００６】
上記課題を解決するための手段は、次のとおりである。【０００７】
（１）嵌合して相対的に回転可能に保持される第１筒及び第２筒と、第１筒の複数箇所に備えられる弾性変形可能な複数のピンと、第２筒の複数箇所に備えられ、複数のピンが嵌合される複数の溝であって、光軸と直交する方向に延びる複数の溝と、を備えたレンズ鏡筒であって、複数のピンは、少なくとも１つの第１ピンと、少なくとも１つの第２ピンと、で構成され、第１ピンは、第１筒及び第２筒に対して径方向外方に向かって外径が縮小するテーパー形状を有し、第１ピンが、溝に嵌合されると、第１ピンの外周面が溝の縁部に押圧当接されて、第１筒を第２筒に対して径方向内方に付勢する、レンズ鏡筒。【０００８】
本態様によれば、第１筒には、弾性変形可能なピンが複数箇所に備えられる。第２筒には、そのピンが嵌合される複数の溝が備えられる。各溝は光軸と直交して配置される。すなわち、回転方向（光軸を中心とする軸周りの方向）に沿って配置される。したがって、溝にピンを嵌合させることにより、第１筒と第２筒との間の光軸方向の位置決めができる。また、溝の長さを規定することにより、回転可能範囲の規制もできる。第１筒に備えられるピンは、少なくとも第１ピン及び第２ピンで構成される。第１ピンは、テーパー形状を有し、第１筒及び第２筒に対して径方向外方（径方向の外側に向かう方向）に向かって外径が縮小する。第１ピンは、その外周面が溝の縁部に押圧当接するように、溝に嵌合される。第１ピンは、弾性変形可能であるため、このように溝に嵌合させると、第１筒を第２筒に対して径方向内方（径方向の内側に向かう方向）に向けて付勢する。これにより、第１筒と第２筒との間に生じるガタを片寄せできる。すなわち、ガタ寄せできる。これにより、第１筒と第２筒との間に生じるガタを除去できる。また、各ピンが嵌合する溝は、回転方向に沿って配置されるため、第１筒と第２筒との間の回転動作を阻害することもない。すなわち、スムーズな回転を確保できる。【０００９】
なお、第２ピンの形状については、通常のピンを使用できる。すなわち、溝に嵌入されることにより、溝の内壁面に当接するピンを使用できる。【００１０】
（２）第１ピンは、第１筒及び第２筒に対して径方向外方に向かって外径が縮小する円弧状のテーパー形状を有する、上記（１）のレンズ鏡筒。【００１１】
本態様によれば、第１ピンが、円弧状のテーパー形状を有する。すなわち、その外周の断面が円弧形状を有する。これにより、第１ピンが溝に対して弾性変形不能に嵌合してしまうのを防止できる（いわゆる、食い付きを防止できる。）。【００１２】
（３）第２ピンは、外周面が外側に向かって円弧状に膨らんだ形状を有する、上記（１）又は（２）のレンズ鏡筒。【００１３】
本態様によれば、第２ピンが、外側に向かって外周面が円弧状に膨らんだ形状を有する。これにより、溝の内壁面に点ないし点に近い状態で当接させることができ、第２ピンにかかる負荷を低減できる。【００１４】
（４）第１ピンは、第１ピン軸部と、第１ピン軸部との間に隙間をもって同心状に配置された環状又は筒状の第１ピン外周部と、第１ピン軸部に対して第１ピン外周部を支持する第１ピン支持部と、を備える上記（１）から（３）のいずれか一のレンズ鏡筒。【００１５】
本態様によれば、第１ピンが、第１ピン軸部と、第１ピン軸部との間に隙間をもって同心状に配置された環状又は筒状の第１ピン外周部と、第１ピン軸部に対して第１ピン外周部を支持する第１ピン支持部と、を備える。これにより、外周部のみを径方向に弾性変形可能に構成できる。【００１６】
（５）第１ピンが、樹脂による一体成形品であり、同軸上に挿通される締結部材によって第１筒に固定される、上記（４）のレンズ鏡筒。【００１７】
本態様によれば、第１ピンが、樹脂による一体成形品で構成される。すなわち、所定の金型を用いて樹脂で射出成形され、一体成形品として構成される。また、同軸上に挿通される締結部材によって第１筒に固定される。これにより、容易に製造できる。【００１８】
（６）第２ピンは、第２ピン軸部と、第２ピン軸部との間に隙間をもって同心状に配置された環状又は筒状の第２ピン外周部と、第２ピン軸部に対して第２ピン外周部を支持する第２ピン支持部と、を備える上記（１）から（５）のいずれか一のレンズ鏡筒。【００１９】
本態様によれば、第２ピンが、第２ピン軸部と、第２ピン軸部との間に隙間をもって同心状に配置された環状又は筒状の第２ピン外周部と、第２ピン軸部に対して第２ピン外周部を支持する第２ピン支持部と、を備える。これにより、外周部のみを径方向に弾性変形可能に構成できる。【００２０】
（７）第２ピンが、樹脂による一体成形品であり、同軸上に挿通される締結部材によって第１筒に固定される、上記（６）のレンズ鏡筒。【００２１】
本態様によれば、第２ピンが、樹脂による一体成形品で構成される。すなわち、所定の金型を用いて樹脂で射出成形され、一体成形品として構成される。また、同軸上に挿通される締結部材によって第１筒に固定される。これにより、容易に製造できる。【００２２】
（８）第１ピンが嵌合される溝は、面取りされた縁部を有する、上記（１）から（７）のいずれか一のレンズ鏡筒。【００２３】
本態様によれば、第１ピンが嵌合される溝の縁部が面取りされる。これにより、第１ピンの外周面を安定して溝の縁部に当接させることができる。【００２４】
（９）第１筒には、３本のピンが等間隔で配置され、３本のピンは、１つが第１ピンで構成され、残りが第２ピンで構成される、上記（１）から（８）のいずれか一のレンズ鏡筒。【００２５】
本態様によれば、第１筒に３本のピンが等間隔で配置される。３本のピンは、１つが第１ピンで構成され、残りが第２ピンで構成される。これにより、安定してガタを除去できる。【００２６】
（１０）溝にピンを嵌合させて、第１筒に対して第２筒を光軸方向に相対的に位置決めする、及び／又は、第１筒に対する第２筒の相対的な回転可能範囲を規制する、上記（１）から（９）のいずれか一のレンズ鏡筒。【００２７】
本態様によれば、溝にピンを嵌合させることにより、第１筒に対して第２筒を光軸方向に相対的に位置決めする。又は、溝にピンを嵌合させることにより、第１筒に対する第２筒の相対的な回転可能範囲を規制する。あるいは、その双方を行う。これにより、別途、位置決め手段あるいは回転可能範囲を規制する手段を設ける必要がなくなり、レンズ鏡筒の構成を簡素化できる。【００２８】
（１１）第２筒が、固定された第１筒の外周に嵌合し、第１筒の外周を回転可能に保持される、上記（１）から（１０）のいずれか一のレンズ鏡筒。【００２９】
本態様によれば、第２筒が、固定された第１筒の外周に嵌合し、第１筒の外周を回転可能に保持される。すなわち、第１筒が、いわゆる固定筒、第２筒が、いわゆる回転筒で構成され、第１筒の外周を第２つ筒が回転可能に保持される。【００３０】
（１２）第１筒が直進溝を備えた固定筒であり、第２筒がカム溝を備えたカム筒である、上記（１１）のレンズ鏡筒。【００３１】
本態様によれば、第１筒が直進溝を備えた固定筒で構成され、第２筒がカム溝を備えたカム筒で構成される。
【発明の効果】
【００３２】
本発明によれば、ガタを防止しつつ、スムーズに駆動できる。
【図面の簡単な説明】
【００３３】
【図１】本発明が適用された交換レンズの概略構成を示す断面図（広角時）
【図２】本発明が適用された交換レンズの概略構成を示す断面図（望遠時）
【図３】変倍操作した場合の各レンズ群の移動状態を示す図
【図４】図１の４−４断面図
【図５】第２レンズ保持枠の駆動に関わる構成の断面図
【図６】図５の６−６断面図
【図７】第３レンズ保持枠及び第４レンズ保持枠の駆動に関わる構成の断面図
【図８】図７の８−８断面図
【図９】図７の９−９断面図
【図１０】図５の１０−１０断面図
【図１１】第１ピンの構成を示す斜視図
【図１２】第１ピンの構成を示す正面図
【図１３】第１ピンの構成を示す平面図
【図１４】第１ピンの構成を示す底面図
【図１５】図１３の１５−１５断面図
【図１６】図１３の１６−１６断面図
【図１７】第２ピンの構成を示す斜視図
【図１８】第２ピンの構成を示す正面図
【図１９】第２ピンの構成を示す平面図
【図２０】第２ピンの構成を示す底面図
【図２１】図１９の２１−２１断面図
【図２２】図１９の２２−２２断面図
【図２３】第１溝の構成を示す断面図
【図２４】第２溝の構成を示す断面図
【図２５】第１ピンと第１溝との嵌合状態を示す図
【図２６】第２ピンと第２溝との嵌合状態を示す図
【図２７】第１ピンの他の一例を示す図
【図２８】第２ピンの他の一例を示す図
【図２９】２本のピン及び２本の溝で固定筒とカム筒との間のガタを除去する機構の構成を示す断面図
【発明を実施するための形態】
【００３４】
以下、添付図面に従って本発明を実施するための好ましい形態について詳説する。
【００３５】
ここでは、本発明をレンズ交換式カメラの交換レンズに適用した場合を例に説明する。特に、カム機構によってレンズ群を移動させてズームする機能を備えた交換レンズに本発明を適用した場合を例に説明する。
【００３６】
［交換レンズの構成］
図１及び図２は、本発明が適用された交換レンズの概略構成を示す断面図である。図１は、広角端の状態を示しており、図２は、望遠端の状態を示している。
【００３７】
交換レンズ１は、そのレンズ鏡筒１０の基端部（像側の端部）にマウント１２を備える。交換レンズ１は、マウント１２を介して、カメラ本体に着脱自在に装着される。レンズ鏡筒１０の内部には、複数のレンズ群が配置される。
【００３８】
《レンズ構成》
図３は、変倍操作した場合の各レンズ群の移動状態を示す図である。同図（Ａ）は、広角端でのレンズ配置を示しており、同図（Ｂ）は望遠端でのレンズ配置を示している。
【００３９】
レンズ鏡筒１０は、その内部に物体側から順に第１レンズ群Ｇ１、第２レンズ群Ｇ２、第３レンズ群Ｇ３、第４レンズ群Ｇ４及び第５レンズ群Ｇ５を備える。各レンズ群は、少なくとも１枚のレンズで構成される。また、各レンズ群は、光軸Ｚに沿って配置される。
【００４０】
第１レンズ群Ｇ１から第５レンズ群のうち、第１レンズ群Ｇ１、第２レンズ群Ｇ２、第３レンズ群Ｇ３及び第４レンズ群Ｇ４は、変倍に際して移動するレンズ群である。一方、第５レンズ群Ｇ５は、変倍に際して固定のレンズ群である。
【００４１】
第２レンズ群Ｇ２は、物体側から順に第２レンズ群前群Ｇ２ａ及び第２レンズ群後群Ｇ２ｂを備える。第２レンズ群後群Ｇ２ｂはフォーカスレンズ群を構成し、独立して移動する。第２レンズ群後群Ｇ２ｂを光軸Ｚに沿って移動させることにより、フォーカシングされる。
【００４２】
第３レンズ群Ｇ３は、絞りＳｔを含む。絞りＳｔは、たとえば、虹彩絞りで構成される。絞りＳｔの開口量を調整することにより、光量が調整される。
【００４３】
《鏡筒の構成》
レンズ鏡筒１０は、固定筒２０、カム筒３０、移動筒４０及び外装筒５０を備える。また、レンズ鏡筒１０は、第１レンズ群Ｇ１を保持する第１レンズ保持枠ＬＦ１、第２レンズ群Ｇ２を保持する第２レンズ保持枠ＬＦ２、第３レンズ群Ｇ３を保持する第３レンズ保持枠ＬＦ３、第４レンズ群Ｇ４を保持する第４レンズ保持枠ＬＦ４及び第５レンズ群Ｇ５を保持する第５レンズ保持枠ＬＦ５を備える。
【００４４】
固定筒２０、カム筒３０及び移動筒４０は、内側から固定筒２０、カム筒３０、移動筒４０の順で嵌合されて、多重構造の筒体を構成する。具体的には、固定筒２０の外周にカム筒３０が嵌合され、カム筒３０の外周に移動筒４０が嵌合されて、多重構造の筒体を構成する。
【００４５】
〈固定筒〉
固定筒２０は、円筒状の筒体で構成され、たとえば、アルミ等の金属で構成される。固定筒２０は、その基端部（像側の端部）にマウント１２を備える。したがって、交換レンズ１をカメラ本体に装着すると、固定筒２０はカメラ本体に固定される。固定筒２０には、光軸Ｚに沿って延びる複数の直進溝が備えられる。
【００４６】
〈カム筒〉
カム筒３０は、円筒状の筒体で構成され、たとえば、アルミ等の金属で構成される。カム筒３０は、固定筒２０の外周に嵌合されることにより、固定筒２０の外周を周方向に回転自在に保持される。固定筒２０は第１筒の一例であり、カム筒３０は第２筒の一例である。カム筒３０には、複数のカム溝が備えられる。なお、便宜上、図１及び図２には、１つのカム溝（移動筒４０を駆動する第１カム溝３０Ａ）のみを図示している。
【００４７】
カム筒３０には、カム筒３０を固定筒２０に対して光軸方向に位置決めし、かつ、固定筒２０との間のガタを除去する機構が備えられる。この機能については、後述する。
【００４８】
〈移動筒〉
移動筒４０は、円筒状の筒体で構成される。移動筒４０は、カム筒３０の外周に嵌合されることにより、固定筒２０の外周を光軸に沿って移動自在に保持される。移動筒４０を移動させる機構については、後述する。
【００４９】
〈外装筒〉
外装筒５０は、円筒状の筒体で構成される。外装筒５０は、交換レンズ１の外装を構成する。外装筒５０は、その基端部において、固定筒２０に固定される。したがって、交換レンズ１をカメラ本体に装着すると、外装筒５０もカメラ本体に固定される。
【００５０】
外装筒５０には、ズームの操作手段としてズームリング５２が備えられる。ズームリング５２は、外装筒５０の外周を周方向に回転自在に設けられる。ズームリング５２は、図示しない連結部材を介してカム筒３０と連結され、その回転がカム筒３０に伝達される。したがって、ズームリング５２を回転させると、カム筒３０が回転する。
【００５１】
また、外装筒５０には、フォーカスの操作手段としてフォーカスリング５４が備えられる。フォーカスリング５４は、外装筒５０の外周を周方向に回転自在に設けられる。フォーカスリング５４は、図示しないセンサによって、その回転量が検出される。
【００５２】
〈第１レンズ保持枠〉
第１レンズ保持枠ＬＦ１は、円筒状の筒体で構成される。第１レンズ保持枠ＬＦ１は、その内周部の同軸上に第１レンズ群Ｇ１を保持する。
【００５３】
第１レンズ保持枠ＬＦ１は、移動筒４０の内周部の同軸上に配置され、移動筒４０に一体的に保持される。したがって、移動筒４０と共に移動する。第１レンズ保持枠ＬＦ１は、移動筒４０の先端部（物体側の端部）に保持される。
【００５４】
〈第２レンズ保持枠〉
第２レンズ保持枠ＬＦ２は、円筒状の筒体で構成される。第２レンズ保持枠ＬＦ２は、その内周部の同軸上に第２レンズ群Ｇ２を保持する。
【００５５】
上記のように、第２レンズ群Ｇ２は、第２レンズ群前群Ｇ２ａ及び第２レンズ群後群Ｇ２ｂを備える。第２レンズ群前群Ｇ２ａは、第２レンズ保持枠ＬＦ２の同軸上に一体的に保持される。一方、第２レンズ群後群Ｇ２ｂは、第２レンズ保持枠ＬＦ２の内周に備えられた一対のガイドシャフトＧＳを移動自在に支持される。一対のガイドシャフトＧＳは、光軸Ｚに沿って配置される。これにより、第２レンズ群後群Ｇ２ｂが独立して移動自在に保持される。第２レンズ保持枠ＬＦ２には、第２レンズ群後群Ｇ２ｂの駆動手段として、図示しないリニアモータが備えられる。第２レンズ群後群Ｇ２ｂは、このリニアモータに駆動されて移動する。
【００５６】
第２レンズ保持枠ＬＦ２は、固定筒２０の内周部の同軸に配置される。第２レンズ保持枠ＬＦ２は、固定筒２０の内周部を光軸Ｚに沿って移動自在に保持される。第２レンズ保持枠ＬＦ２を移動させる機構については、後述する。
【００５７】
〈第３レンズ保持枠〉
第３レンズ保持枠ＬＦ３は、円筒状の筒体で構成される。第３レンズ保持枠ＬＦ３は、その内周部の同軸上に第３レンズ群Ｇ３を保持する。また、第３レンズ保持枠ＬＦ３は、その内周部の同軸上に絞りユニットＳＵを保持する。
【００５８】
第３レンズ保持枠ＬＦ３は、固定筒２０の内周部の同軸に配置される。第３レンズ保持枠ＬＦ３は、固定筒２０の内周部を光軸Ｚに沿って移動自在に保持される。第３レンズ保持枠ＬＦ３を移動させる機構については、後述する。
【００５９】
〈第４レンズ保持枠〉
第４レンズ保持枠ＬＦ４は、円筒状の筒体で構成される。第４レンズ保持枠ＬＦ４は、その内周部の同軸上に第４レンズ群Ｇ４を保持する。
【００６０】
第４レンズ保持枠ＬＦ４は、固定筒２０の内周部の同軸に配置される。第４レンズ保持枠ＬＦ４は、固定筒２０の内周部を光軸Ｚに沿って移動自在に保持される。第４レンズ保持枠ＬＦ４を移動させる機構については、後述する。
【００６１】
〈第５レンズ保持枠〉
第５レンズ保持枠ＬＦ５は、円筒状の筒体で構成される。第５レンズ保持枠ＬＦ５は、その内周部の同軸上に第５レンズ群Ｇ５を保持する。
【００６２】
第５レンズ保持枠ＬＦ５は、固定筒２０の内周部の同軸に配置される。第５レンズ保持枠ＬＦ５は、固定筒２０に一体的に保持される。
【００６３】
《移動筒の駆動機構》
図４は、図１の４−４断面図である。
【００６４】
移動筒４０は、その基端部（像側の端部）の内周に３本の第１カムフォロア６０Ａを備える。３本の第１カムフォロア６０Ａは、移動筒４０の内周部の同一円周上に配置され、かつ、等間隔に配置される。各第１カムフォロア６０Ａは、図示しないネジでネジ止めされて、移動筒４０に取り付けられる。
【００６５】
カム筒３０は、所定の軌跡を有する３本の第１カム溝３０Ａを備える。３本の第１カム溝３０Ａは、３本の第１カムフォロア６０Ａに対応して等間隔に配置される。
【００６６】
固定筒２０は、光軸Ｚに沿って延びる３本の第１直進溝２０Ａを備える。３本の第１直進溝２０Ａは、３本の第１カムフォロア６０Ａに対応して等間隔に配置される。
【００６７】
移動筒４０に備えられた３本の第１カムフォロア６０Ａは、それぞれ３本の第１カム溝３０Ａ及び第１直進溝２０Ａに嵌合される。これにより、カム筒３０を回転させると、カムの作用によって、移動筒４０が光軸Ｚに沿って移動する。
【００６８】
《第２レンズ保持枠の駆動機構》
図５は、第２レンズ保持枠の駆動に関わる構成の断面図である。また、図６は、図５の６−６断面図である。
【００６９】
第２レンズ保持枠ＬＦ２は、外周部に３本の第２カムフォロア６０Ｂを備える。３本の第２カムフォロア６０Ｂは、第２レンズ保持枠ＬＦ２の外周部の同一円周上に配置され、かつ、等間隔に配置される。各第２カムフォロア６０Ｂは、図示しないネジでネジ止めされて、第２レンズ保持枠ＬＦ２に取り付けられる。
【００７０】
カム筒３０は、所定の軌跡を有する３本の第２カム溝３０Ｂを備える。３本の第２カム溝３０Ｂは、３本の第２カムフォロア６０Ｂに対応して等間隔に配置される。なお、図５には、便宜上、第２カム溝３０Ｂのみを図示している。
【００７１】
固定筒２０は、光軸Ｚに沿って延びる３本の第２直進溝２０Ｂを備える。３本の第２直進溝２０Ｂは、３本の第２カムフォロア６０Ｂに対応して等間隔に配置される。
【００７２】
第２レンズ保持枠ＬＦ２に備えられた３本の第２カムフォロア６０Ｂは、それぞれ３本の第２カム溝３０Ｂ及び第２直進溝２０Ｂに嵌合される。これにより、カム筒３０を回転させると、カムの作用によって、第２レンズ保持枠ＬＦ２が光軸Ｚに沿って移動する。
【００７３】
《第３レンズ保持枠及び第４レンズ保持枠の駆動機構》
図７は、第３レンズ保持枠及び第４レンズ保持枠の駆動に関わる構成の断面図である。また、図８は、図７の８−８断面図、図９は、図７の９−９断面図である。
【００７４】
第３レンズ保持枠ＬＦ３は、外周部に３本の第３カムフォロア６０Ｃを備える。３本の第３カムフォロア６０Ｃは、第３レンズ保持枠ＬＦ３の外周部の同一円周上に配置され、かつ、等間隔に配置される。各第３カムフォロア６０Ｃは、図示しないネジでネジ止めされて、第３レンズ保持枠ＬＦ３に取り付けられる。
【００７５】
また、第４レンズ保持枠ＬＦ４は、外周部に３本の第４カムフォロア６０Ｄを備える。３本の第４カムフォロア６０Ｄは、第４レンズ保持枠ＬＦ４の外周部の同一円周上に配置され、かつ、等間隔に配置される。各第４カムフォロア６０Ｄは、図示しないネジでネジ止めされて、第４レンズ保持枠ＬＦ４に取り付けられる。
【００７６】
カム筒３０は、所定の軌跡を有する３本の第３カム溝３０Ｃ及び第４カム溝３０Ｄを備える。３本の第３カム溝３０Ｃは、３本の第３カムフォロア６０Ｃに対応して等間隔に配置される。また、３本の第４カム溝３０Ｄは、３本の第４カムフォロア６０Ｄに対応して等間隔に配置される。なお、図５には、便宜上、第３カム溝３０Ｃ及び第４カム溝３０Ｄのみを図示している。
【００７７】
固定筒２０は、光軸Ｚに沿って延びる３本の共通直進溝２０ＣＤを備える。３本の共通直進溝２０ＣＤは、３本の第３カムフォロア６０Ｃ及び第４カムフォロア６０Ｄに対応して等間隔に配置される。
【００７８】
第３レンズ保持枠ＬＦ３に備えられた３本の第３カムフォロア６０Ｃは、それぞれ３本の第３カム溝３０Ｃ及び共通直進溝２０ＣＤに嵌合される。また、第４レンズ保持枠ＬＦ４に備えられた３本の第４カムフォロア６０Ｄは、それぞれ３本の第４カム溝３０Ｄ及び共通直進溝２０ＣＤに嵌合される。これにより、カム筒３０を回転させると、カムの作用によって、第３レンズ保持枠ＬＦ３及び第４レンズ保持枠ＬＦ４が光軸Ｚに沿って移動する。
【００７９】
《カム筒の位置決め及びガタの除去機構》
〔カム筒の位置決め及びガタの除去機構の構成〕
上記のように、カム筒３０には、カム筒３０を固定筒２０に対して光軸方向に位置決めし、かつ、固定筒２０との間のガタを除去する機構が備えられる。本機構は、固定筒２０（第１筒）の複数箇所に備えられる複数本のピン及びカム筒３０（第２筒）の複数箇所に備えられる複数本の溝で構成される。
【００８０】
図１０は、図５の１０−１０断面図である。
【００８１】
３本のピンは、固定筒２０の外周部の同一円周上に配置され、かつ、等間隔で配置される。３本のピンは、形状の異なる２種類のピンで構成される。一方を第１ピン１１０、他方を第２ピン１２０とする。本実施の形態のレンズ鏡筒１０は、３本のうち１本が第１ピン１１０、残りが第２ピン１２０で構成される。
【００８２】
３本の溝は、第１ピン１１０が嵌合する第１溝１３０及び第２ピン１２０が嵌合する第２溝１４０で構成される。第１溝１３０及び第２溝１４０は、光軸Ｚと直交する方向に延びる溝として、カム筒３０の周面の同一円周上に一定の間隔で配置される。
【００８３】
〔ピン〕
（１）第１ピン
図１１は、第１ピンの構成を示す斜視図である。図１２は、第１ピンの構成を示す正面図である。図１３は、第１ピンの構成を示す平面図である。図１４は、第１ピンの構成を示す底面図である。図１５は、図１３の１５−１５断面図である。図１６は、図１３の１６−１６断面図である。
【００８４】
第１ピン１１０は、先端（固定筒２０及びカム筒３０に対して径方向外方の端部）に向かって外径が縮小するテーパー形状を有する。特に、本実施の形態の第１ピン１１０は、外周の断面が円弧形状を有し、円弧状のテーパー形状を有する。
【００８５】
第１ピン１１０は、第１ピン軸部１１０ａと、その第１ピン軸部１１０ａとの間に隙間をもって同心状に配置された環状の第１ピン外周部１１０ｂと、第１ピン軸部１１０ａに対して第１ピン外周部１１０ｂを支持する第１ピン支持部１１０ｃと、を備える。
【００８６】
第１ピン軸部１１０ａは、中空の円柱形状を有し、軸に沿って中空部１１０ｆを有する。中空部１１０ｆは、第１ピン１１０を固定筒２０にネジで取り付ける際に、ネジの挿通部として機能する。
【００８７】
第１ピン軸部１１０ａは、その先端側の端面（上面）に円形の凹部１１０ｄを有する。この凹部１１０ｄは、第１ピン１１０を固定筒２０にネジで取り付ける際に、そのネジの座部として機能する。また、第１ピン軸部１１０ａは、その基端部側の端面（底面）に位置決め穴１１０ｅを有する（図２３参照）。この位置決め穴１１０ｅは、第１ピン１１０を固定筒２０に取り付ける際に、固定筒２０側に備えられたボス１５０ａが嵌入されて、第１ピン１１０を位置決めする機能を有する（図２３参照）。
【００８８】
第１ピン外周部１１０ｂは、第１ピン１１０の本体を構成する。したがって、その外形は、先端に向かって外径が縮小する円弧状のテーパー形状を有する。第１ピン外周部１１０ｂは、弾性変形可能に構成され、第１ピン軸部１１０ａの同心状に配置される。
【００８９】
第１ピン支持部１１０ｃは、第１ピン外周部１１０ｂの内周部において、第１ピン外周部１１０ｂを２箇所で支持する。
【００９０】
第１ピン１１０は、所定の金型を用いて樹脂で射出成形され、一体成形品として構成される。たとえば、ＰＯＭ（ＰＯＭ：Polyoxymethylene又はPolyacetal／ポリオキシメチレン又はポリアセタール）によって射出成形され、一体成形品として構成される。第１ピン外周部１１０ｂは、樹脂による弾性を利用して、弾性変形可能に構成される。第１ピン１１０は、第１ピン軸部１１０ａの中空部に締結部材としてのネジが通されて、固定筒２０にネジ止めされる。
【００９１】
（２）第２ピン
図１７は、第２ピンの構成を示す斜視図である。図１８は、第２ピンの構成を示す正面図である。図１９は、第２ピンの構成を示す平面図である。図２０は、第２ピンの構成を示す底面図である。図２１は、図１９の２１−２１断面図である。図２２は、図１９の２２−２２断面図である。
【００９２】
第２ピン１２０は、外周面が外側に向かって円弧状に膨らんだ形状（いわゆる樽形状）を有する。第２ピン１２０は、第２ピン軸部１２０ａと、その第２ピン軸部１２０ａとの間に隙間をもって同心状に配置された環状の第２ピン外周部１２０ｂと、第２ピン軸部１２０ａに対して第２ピン外周部１２０ｂを支持する第２ピン支持部１２０ｃと、を備える。
【００９３】
第２ピン軸部１２０ａは、中空の円柱形状を有し、軸に沿って中空部９０ｆを有する。中空部１２０ｆは、第２ピン１２０を固定筒２０にネジで取り付ける際に、ネジの挿通部として機能する。
【００９４】
第２ピン軸部１２０ａは、その先端側の端面（上面）に円形の凹部１２０ｄを有する。この凹部１２０ｄは、第２ピン１２０を固定筒２０にネジで取り付ける際に、そのネジの座部として機能する（図２４参照）。また、第２ピン軸部１２０ａは、その基端部側の端面（底面）に位置決め穴１２０ｅを有する。この位置決め穴１２０ｅは、第２ピン１２０を固定筒２０に取り付ける際に、固定筒２０側に備えられたボス１６０ａが嵌入されて、第２ピン１２０を位置決めする機能を有する（図２４参照）。
【００９５】
第２ピン外周部１２０ｂは、第２ピン１２０の本体を構成する。したがって、その外形は、外周面が外側に向かって円弧状に膨らんだ形状（いわゆる樽形状）を有する。第２ピン外周部１２０ｂは、弾性変形可能に構成され、第２ピン軸部１２０ａの同心状に配置される。
【００９６】
第２ピン支持部１２０ｃは、第２ピン外周部１２０ｂの内周部において、第２ピン外周部１２０ｂを２箇所で支持する。
【００９７】
第２ピン１２０は、所定の金型を用いて樹脂で射出成形され、一体成形品として構成される。たとえば、ＰＯＭによって射出成形され、一体成形品として構成される。第２ピン外周部１２０ｂは、樹脂による弾性を利用して、弾性変形可能に構成される。第２ピン１２０は、第２ピン軸部１２０ａの中空部に締結部材としてのネジが通されて、固定筒２０にネジ止めされる。
【００９８】
〔溝〕
（１）第１溝
図２３は、第１溝の構成を示す断面図である。同図は光軸Ｚと平行な断面を示している。
【００９９】
同図に示すように、第１溝１３０は、幅が２段階に切り替わる構造を有し、幅の広い幅広部１３０ａと、幅の狭い嵌合部１３０ｂとを有する。幅広部１３０ａは、カム筒３０の径方向の内側に位置する。
【０１００】
第１溝１３０は、嵌合部１３０ｂが実質的に嵌合用の溝を構成し、幅広部１３０ａは、第１ピン１１０に対して非接触の領域として構成される。したがって、幅広部１３０ａは、第１ピン１１０の外径よりも大きな幅を有する。一方、嵌合部１３０ｂは、第１ピン１１０の外径よりも若干狭い幅を有する。したがって、第１ピン１１０を嵌合部１３０ｂに嵌合させると、第１ピン１１０は弾性変形して嵌合部１３０ｂに嵌合する（つぶれ変形して嵌合する。）。
【０１０１】
第１溝１３０は、嵌合部１３０ｂの縁部（カム筒３０の径方向の内側の縁部）１３０ｃが面取りされる（いわゆるＣ面取り）。この縁部１３０ｃは、第１ピン１１０との当接部として機能する。
【０１０２】
（２）第２溝
図２４は、第２溝の構成を示す断面図である。同図は光軸Ｚと平行な断面を示している。
【０１０３】
同図に示すように、第２溝１４０は、一定の幅を有する。第２溝１４０は、第２ピン１２０の外径よりも若干狭い幅を有する。したがって、第２ピン１２０を第２溝１４０に嵌合させると、第２ピン１２０は弾性変形して第２溝１４０に嵌合する（つぶれ変形して嵌合する。）。
【０１０４】
第２溝１４０に嵌合した第２ピン１２０は、その外周面が第２溝１４０の内壁面１４０ａに押圧当接する。第２ピン１２０は、外周面が外側に向かって円弧状に膨らんだ形状を有するので、点ないし点に近い状態で第２溝１４０の内壁面１４０ａに当接する。
【０１０５】
〔ピンの取り付け〕
（１）第１ピンの取り付け
図２３に示すように、固定筒２０には、第１ピン１１０を取り付ける位置に第１ピン取付穴１５０が備えられる。
【０１０６】
第１ピン取付穴１５０は、円形状の凹部で構成され、その内径は、第１ピン１１０の第１ピン軸部１１０ａの外径と同じ径（あるいは、若干小さい径）を有する。第１ピン１１０は、その第１ピン軸部１１０ａを第１ピン取付穴１５０に嵌めることにより、固定筒２０に取り付けられる。
【０１０７】
第１ピン取付穴１５０は、底部にボス１５０ａを有する。ボス１５０ａは、第１ピン軸部１１０ａの底面に備えられた位置決め穴１１０ｅに嵌合する。ボス１５０ａが位置決め穴１１０ｅに嵌まるように、第１ピン１１０を取り付けることにより、第１ピン１１０が位置決めされる。第１ピン１１０は、第１溝１３０に嵌合させた際、その第１ピン支持部１１０ｃが第１溝１３０の幅方向の中央に位置するように位置決めされる。
【０１０８】
また、第１ピン取付穴１５０は、底部の中央にネジ穴１５０ｂを有する。第１ピン取付穴１５０に取り付けられた第１ピン１１０は、そのネジ穴１５０ｂに第１ピン固定用ネジ１５２を螺合させることにより、固定筒２０に固定される。第１ピン固定用ネジ１５２は、第１ピン軸部１１０ａの中空部１１０ｆに挿通されて、ネジ穴１５０ｂに螺合される。第１ピン固定用ネジ１５２は、締結部材の一例である。
【０１０９】
（２）第２ピンの取り付け
図２４に示すように、固定筒２０には、第２ピン１２０を取り付ける位置に第２ピン取付穴１６０が備えられる。
【０１１０】
第２ピン取付穴１６０は、円形状の凹部で構成され、その内径は、第２ピン１２０の第２ピン軸部１２０ａの外径と同じ径（あるいは、若干小さい径）を有する。第２ピン１２０は、その第２ピン軸部１２０ａを第２ピン取付穴１６０に嵌めることにより、固定筒２０に取り付けられる。
【０１１１】
第２ピン取付穴１６０は、底部にボス１６０ａを有する。ボス１６０ａは、第２ピン軸部１２０ａの底面に備えられた位置決め穴１２０ｅに嵌合する。ボス１６０ａが位置決め穴１２０ｅに嵌まるように、第２ピン１２０を取り付けることにより、第２ピン１２０が位置決めされる。第２ピン１２０は、第２溝１４０に嵌合させた際、その第２ピン支持部１２０ｃが第２溝１４０の幅方向の中央に位置するように位置決めされる。
【０１１２】
また、第２ピン取付穴１６０は、底部の中央にネジ穴１６０ｂを有する。第２ピン取付穴１６０に取り付けられた第２ピン１２０は、そのネジ穴１６０ｂに第２ピン固定用ネジ１６２を螺合させることにより、固定筒２０に固定される。第２ピン固定用ネジ１６２は、第２ピン軸部１２０ａの中空部１２０ｆに挿通されて、ネジ穴１６０ｂに螺合される。第２ピン固定用ネジ１６２は、締結部材の一例である。
【０１１３】
〈カム筒の位置決め及びガタの除去機構の作用〉
〔位置決めの機能〕
レンズ鏡筒１０を組み付けると、第１ピン１１０が第１溝１３０に嵌合し、かつ、第２ピン１２０が第２溝１４０に嵌合する。
【０１１４】
第１溝１３０の嵌合部１３０ｂの幅は第１ピン１１０の外径よりも狭く、また、第２溝１４０の幅は第２ピン１２０の外径よりも狭い。このため、第１ピン１１０を第１溝１３０の嵌合部１３０ｂに嵌合させると、第１ピン１１０は、その外周面が嵌合部１３０ｂの両側の縁部１３０ｃに押圧当接する。また、第２ピン１２０を第２溝１４０に嵌合させると、第２ピン１２０は、その外周面が第２溝１４０の両側の内壁面１４０ａに押圧当接する。これにより、カム筒３０が、固定筒２０に対して光軸Ｚに位置決めされる。
【０１１５】
〔ガタを除去する機能〕
図２５は、第１ピンと第１溝との嵌合状態を示す図である。
【０１１６】
同図に示すように、第１ピン１１０が第１溝１３０に嵌合すると、第１ピン１１０は、その外周部が第１溝１３０の嵌合部１３０ｂの縁部１３０ｃに押圧当接する。これにより、第１ピン１１０は、縁部１３０ｃから径方向の内側に向かって力Ｆ１を受ける。この力Ｆ１は、第１ピン１１０の外形がテーパー形状であることから、第１ピン１１０に対して、径方向の力Ｆ１ａ及び軸方向の力Ｆ１ｂとして作用する。径方向の力Ｆ１ａは、第１ピン１１０の外周部を押しつぶす力Ｆ１ａとして作用する。一方、軸方向の力Ｆ１ｂは、第１ピン１１０を固定筒２０に向けて押し込む力Ｆ１ｂとして作用する。
【０１１７】
図２６は、第２ピンと第２溝との嵌合状態を示す図である。
【０１１８】
同図に示すように、第２ピン１２０が第２溝１４０に嵌合すると、第２ピン１２０は、その外周部が第２溝１４０の内壁面１４０ａに押圧当接する。第２溝１４０の内壁面１４０ａに当接するので、第２ピン１２０が受ける力Ｆ２は、ほぼ径方向の力のみとなる。すなわち、その外周部を押しつぶす力だけとなる。
【０１１９】
上記のように、第１ピン１１０は、固定筒２０に向けて押し込む力Ｆ１ｂを受ける。第１ピン１１０及び第２ピン１２０は、共に弾性変形可能であるため、第１ピン１１０が固定筒２０に向けて押し込む力Ｆ１ｂを受けることにより、固定筒２０は、カム筒３０に対して相対的に一方向に付勢される。すなわち、第１ピン１１０が固定筒２０に向けて押し込む方向（径方向内方）に付勢される。この結果、固定筒２０とカム筒３０とが相対的に片寄せされ、その間のガタが除去される。すなわち、ガタ寄せされて、ガタが除去される。
【０１２０】
［交換レンズの作用］
以上のように構成される本実施の形態の交換レンズ１は、ズームリング５２を回転操作することにより、固定筒２０に対して、カム筒３０が回転する。カム筒３０が回転すると、カムの作用によって、移動筒４０、第２レンズ保持枠ＬＦ２、第３レンズ保持枠ＬＦ３及び第４レンズ保持枠ＬＦ４が光軸Ｚに沿って移動する。この結果、第１レンズ群Ｇ１、第２レンズ群Ｇ２、第３レンズ群Ｇ３及び第４レンズ群Ｇ４が光軸Ｚに沿って移動し、焦点距離が変化する。すなわち、ズームする。
【０１２１】
カム筒３０は、固定筒２０に嵌合されて、固定筒２０の周りを回転可能に保持されるが、カム筒３０及び固定筒２０は、３本のピン（第１ピン１１０及び第２ピン１２０）及び３本の溝（第１溝１３０及び第２溝１４０）の作用によって、その間のガタが除去される。これにより、軸ズレ、軸倒れ等の発生を防止できる。
【０１２２】
また、このガタを除去する機構は、光軸Ｚと直交する方向に延びる溝とピンとで構成されるため、カム筒３０の回転を阻害することもない。これにより、カム筒３０の回転をスムーズにでき、ズームリング５２の操作感を良好にできる。また、カム筒３０をモータ等で駆動する場合には、その駆動を安定化でき、精度よく駆動を制御できる。
【０１２３】
また、ピンが溝を摺動する構成であるため、ゴミの発生、異音の発生等も防止できる。
【０１２４】
更に、このガタを除去する機構は、位置決めの機能も兼ねているため、別途、位置決めの機構を備える必要がない。これにより、全体の構成を簡素化できる。
【０１２５】
［変形例］
《第１ピンの変形例》
図２７は、第１ピンの他の一例を示す図である。
【０１２６】
同図に示す第１ピン１１０は、外周部の形状を円錐台形状としたものである。すなわち、外周部の径が、先端に向かって直線状に縮小する形状としたものである。このように、第１ピン１１０は、先端に向かって外径が縮小するテーパー形状を有していればよい。
【０１２７】
なお、上記実施の形態のように、円弧状のテーパー形状とすることにより、第１ピン１１０が、第１溝１３０に対して弾性変形不能に嵌合してしまうのを防止できる。すなわち、ピンの食い付きを防止できる。
【０１２８】
また、図２７に示すように、第１ピン１１０と第１溝１３０との当接部である幅広部１３０ａの縁部１３０ｃは、必ずしも面取りする必要はない。面取りした場合には、第１ピン１１０を安定して第１ピン１１０に嵌合させることができる。
【０１２９】
また、第１ピン１１０の外周部の形状、すなわち、第１ピン外周部１１０ｂの形状は、嵌合させる第１溝１３０の深さ（カム筒３０の厚さ）等に応じて軸方向に伸びた形状、すなわち、筒状としてもよい。
【０１３０】
また、上記実施の形態では、固定筒２０の備えられた第１ピン取付穴１５０に第１ピン軸部１１０ａを嵌めて、第１ピン１１０を固定筒２０に取り付ける構造としているが、第１ピン１１０を固定筒２０に取り付ける構造は、これに限定されるものではない。この他、たとえば、固定筒２０に凸部を設け、かつ、第１ピン軸部１１０ａの底面に凹部を設け、固定筒２０の凸部を第１ピン軸部１１０ａの凹部に嵌合させて、第１ピン１１０を固定筒２０に取り付ける構造としてもよい。
【０１３１】
《第２ピンの変形例》
第２ピン１２０は、その外周面が第２溝１４０の内壁面１４０ａに押圧当接した状態で第２溝１４０に嵌合できる形状であればよい。すなわち、第２ピン１２０については、一般的な形状のピンを採用できる。
【０１３２】
図２８は、第２ピンの他の一例を示す図である。
【０１３３】
同図に示す第２ピン１２０は、外径が一定のピンである。本構成の第２ピン１２０は、第２溝１４０に嵌合されることにより、その外周面が第２溝１４０の内壁面１４０ａに線接触する。
【０１３４】
また、第２ピン１２０の外周部の形状、すなわち、第２ピン外周部１２０ｂの形状は、嵌合させる第２溝１４０の深さ（カム筒３０の厚さ）等に応じて軸方向に伸びた形状、すなわち、筒状としてもよい。
【０１３５】
また、上記実施の形態では、固定筒２０の備えられた第２ピン取付穴１６０に第１ピン軸部１２０ａを嵌めて、第２ピン１２０を固定筒２０に取り付ける構造としているが、第２ピン１２０を固定筒２０に取り付ける構造は、これに限定されるものではない。この他、たとえば、固定筒２０に凸部を設け、かつ、第２ピン軸部１２０ａの底面に凹部を設け、固定筒２０の凸部を第２ピン軸部１２０ａの凹部に嵌合させて、第１ピン１２０を固定筒２０に取り付ける構造としてもよい。
【０１３６】
《ピンの数及びレイアウト》
上記実施の形態では、３本のピン及び３本の溝を用いて、固定筒２０とカム筒３０との間のガタを取り除く構成としているが、ピン及び溝の数は、これに限定されるものではない。少なくとも２本のピン及び２本の溝で構成することができる。
【０１３７】
図２９は、２本のピン及び２本の溝で固定筒とカム筒との間のガタを除去する機構の構成を示す断面図である。
【０１３８】
２本のピンは、一方が第１ピン１１０、他方が第２ピン１２０で構成される。同様に、２本の溝は、一方が第１溝１３０、他方が第２溝１４０で構成される。第１ピン１１０及び第２ピン１２０は、互いに対向する位置に配置される。これにより、固定筒２０をカム筒３０に対して相対的に一方向に付勢でき、固定筒２０とカム筒３０との間のガタを除去できる。
【０１３９】
このように、ピン及び溝は、少なくとも第１ピン及び第２ピンを１本ずつ含む少なくとも２本のピンと、そのピンの構成に対応した少なくとも２本の溝で構成できる。
【０１４０】
複数のピン及び溝は、等間隔又は等間隔に近い状態で配置することが好ましい。これにより、固定筒２０に対してカム筒３０を安定して保持できる。
【０１４１】
《溝の機能》
上記実施の形態では、ピンと溝によってカム筒３０を光軸方向に位置決めする構成としているが、ピンと溝によって、カム筒３０の回転可能範囲を規制する構成としてもよい。また、その双方の機能を実現するように構成してもよい。
【０１４２】
ピンと溝によって、カム筒３０の回転可能範囲を規制する場合は、溝の長さをカム筒３０の可動範囲に対応した長さで構成する。たとえば、カム筒３０の回転可能範囲を６０°とする場合、６０°に対応した角度範囲で溝を配置する。カム筒３０は、ピンが溝の端部に当接することにより、回転が規制される。
【０１４３】
《第１筒及び第２筒の構成》
上記実施の形態では、第１筒を固定筒２０、第２筒をカム筒３０とする例で説明したが、第１筒及び第２筒の構成は、これに限定されるものではない。相対的に回転する関係のものであれば、他の構成のレンズ鏡筒にも本発明は適用できる。
【０１４４】
《その他のレンズ鏡筒への適用》
上記実施の形態では、本発明をレンズ交換式カメラの交換レンズのレンズ鏡筒に適用した場合を例に説明したが、本発明の適用は、これに限定されるものではない。いわゆるレンズ一体式のカメラに組み込まれたレンズ装置のレンズ鏡筒にも同様に適用できる。また、プロジェクタ、顕微鏡、望遠鏡、双眼鏡等のカメラ以外の光学機器のレンズ鏡筒にも適用できる。
【０１４５】
また、上記実施の形態では、ズーム用のレンズ群をカム機構によって移動させるレンズ鏡筒に本発明を適用した場合を例に説明したが、フォーカス用のレンズ群をカム機構によって移動させるレンズ鏡筒にも同様に本発明を適用することができる。
【０１４６】
また、カム筒（回転筒）を回転させる手段は、手動に限らず、モータであってもよい。
【符号の説明】
【０１４７】
１  交換レンズ
１０  レンズ鏡筒
１２  マウント
２０  固定筒
２０Ａ  第１直進溝
２０Ｂ  第２直進溝
２０ＣＤ  共通直進溝
３０  カム筒
３０Ａ  第１カム溝
３０Ｂ  第２カム溝
３０Ｃ  第３カム溝
３０Ｄ  第４カム溝
４０  移動筒
５０  外装筒
５２  ズームリング
５４  フォーカスリング
６０Ａ  第１カムフォロア
６０Ｂ  第２カムフォロア
６０Ｃ  第３カムフォロア
６０Ｄ  第４カムフォロア
１１０  第１ピン
１１０ａ  第１ピン軸部
１１０ｂ  第１ピン外周部
１１０ｃ  第１ピン支持部
１１０ｄ  凹部
１１０ｅ  位置決め穴
１１０ｆ  中空部
１２０  第２ピン
１２０ａ  第２ピン軸部
１２０ｂ  第２ピン外周部
１２０ｃ  第２ピン支持部
１２０ｄ  凹部
１２０ｅ  位置決め穴
１２０ｆ  中空部
１３０  第１溝
１３０ａ  幅広部
１３０ｂ  嵌合部
１３０ｃ  縁部
１４０  第２溝
１４０ａ  内壁面
１５０  第１ピン取付穴
１５０ａ  ボス
１５０ｂ  ネジ穴
１５２  第１ピン固定用ネジ
１６０  第２ピン取付穴
１６０ａ  ボス
１６０ｂ  ネジ穴
１６２  第２ピン固定用ネジ
Ｇ１  第１レンズ群
Ｇ２  第２レンズ群
Ｇ２ａ  第２レンズ群前群
Ｇ２ｂ  第２レンズ群後群
Ｇ３  第３レンズ群
Ｇ４  第４レンズ群
Ｇ５  第５レンズ群
ＧＳ  ガイドシャフト
ＬＦ１  第１レンズ保持枠
ＬＦ２  第２レンズ保持枠
ＬＦ３  第３レンズ保持枠
ＬＦ４  第４レンズ保持枠
ＬＦ５  第５レンズ保持枠
ＳＵ  絞りユニット
Ｓｔ  絞り
Ｚ  光軸
Ｆ１  第１ピンが受ける力
Ｆ１ａ  第１ピンが径方向に受ける分力
Ｆ１ｂ  第１ピンが軸方向に受ける分力
Ｆ２  第２ピンが受ける力
【図１】
0006934106.tif 000002
【図２】
0006934106.tif 000003
【図３】
0006934106.tif 000004
【図４】
0006934106.tif 000005
【図５】
0006934106.tif 000006
【図６】
0006934106.tif 000007
【図７】
0006934106.tif 000008
【図８】
0006934106.tif 000009
【図９】
0006934106.tif 000010
【図１０】
0006934106.tif 000011
【図１１】
0006934106.tif 000012
【図１２】
0006934106.tif 000013
【図１３】
0006934106.tif 000014
【図１４】
0006934106.tif 000015
【図１５】
0006934106.tif 000016
【図１６】
0006934106.tif 000017
【図１７】
0006934106.tif 000018
【図１８】
0006934106.tif 000019
【図１９】
0006934106.tif 000020
【図２０】
0006934106.tif 000021
【図２１】
0006934106.tif 000022
【図２２】
0006934106.tif 000023
【図２３】
0006934106.tif 000024
【図２４】
0006934106.tif 000025
【図２５】
0006934106.tif 000026
【図２６】
0006934106.tif 000027
【図２７】
0006934106.tif 000028
【図２８】
0006934106.tif 000029
【図２９】
0006934106.tif 000030